【事件の表示】
　特願２００６−　５０４４３「放送受信装置、番組予約情報の送信方法」拒絶査定不服審判事件〔平成１９年　９月　６日出願公開、特開２００７−２２８５３６〕について、次のとおり審決する。
【結　論】
　本件審判の請求は、成り立たない。
【理　由】
１．手続の経緯  
　本願は、平成１８年２月２７日の出願であって、平成２２年１０月４日付で拒絶の理由が通知され、平成２２年１２月１３日付で意見書・手続補正書が提出されたものの、平成２２年１２月２７日付で拒絶査定がなされたものである。  
　本件は、上記拒絶査定を不服として平成２３年４月１１日付で請求された拒絶査定不服審判であって、その審判請求と同時に手続補正書が提出され、当審において、前置報告書の内容について審判請求人の意見を求めるために、平成２４年１月４日付で審尋がなされ、平成２４年３月１２日付で回答書が提出され、平成２４年６月２８日付で拒絶の理由が通知され、平成２４年９月３日付で意見書・手続補正書が提出され、平成２４年９月１４日付で拒絶の理由が通知され、平成２４年１１月１９日付で意見書が提出されている。  
 　
２．本願発明 
　本願の請求項１，２に係る発明は、平成２２年１２月１３日付、平成２３年４月１１日付、および、平成２４年９月３日付手続補正書によって補正された明細書、特許請求の範囲及び図面の記載からみて、それぞれ、その特許請求の範囲の請求項１，２に記載されたとおりのものと認められるところ、その請求項１に係る発明は請求項１に記載された次のとおりである。（以下「本願発明」という。）　  
　
「【請求項１】
　放送番組を受信する受信手段と、
　放送局の放送波から入手したＥＰＧから番組の予約をする予約手段と、
　前記予約に関する番組予約情報を、前記放送局とは異なる番組予約を集計するセンターに登録処理を行っていた場合には送信し、該センターにアクセスして登録を抹消している場合には送信しない送信手段と、
を備える放送受信装置。」
　
３．引用刊行物及び引用発明
３．１．引用例１
　当審における、平成２４年９月１４日付で通知した拒絶の理由で引用した、本願の出願の日前に頒布された特開平１１−２２０４４５号公報 (以下「引用例１」という。)には、図面と共に、以下の記載がある。 
　
「【０００７】例えば、近年においては通信衛星を用いた衛星放送が実現化されており、このような衛星放送によつてデイジタル化されたテレビジヨン信号を受信するものとしてＩＲＤ（Integrated Receiver Decoder ）と呼ばれる受信装置がある。このＩＲＤは、放送局から所定の画像圧縮方法によつて符号化されて放送される多数の番組を通信衛星を介して選択的に受信し得るようになされており、ユーザによつて選択された番組を内部のデコーダを介して復号することによりモニタに表示するようになされている。」
「【０００８】
【発明が解決しようとする課題】ところでかかる構成のＩＲＤにおいては、ＩＲＤ本体に取り付けられた特定の記憶装置によつて視聴率データを記憶し、視聴率の集計センタからの転送要求に応じて視聴率データを送信していた。このため集計センタは、特定の記憶装置が取り付けられたＩＲＤがユーザ間で譲渡された場合に、譲渡された側のユーザの視聴率データを勝手に集計してしまうことになり、ユーザのプライバシーを侵害してしまうという問題があつた。」
「【００１３】（１）視聴率調査システムの全体構成
図１において１は全体として視聴率調査システムを示し、放送事業者（放送局）２は、映像データ及び音声データをＭＰＥＧ２等の所定の符号化方式でそれぞれ圧縮符号化してパケツト化することによりトランスポートストリームを生成する。続いて放送事業者２は、生成した複数チヤンネル分のトランスポートストリームをパケツト多重化し、これにより得られる多重化ビツトストリームを所定の変調方式で変調処理した後、これを送信データＤ１として例えば１０[GHz] の周波数帯で通信衛星３に送信する。」
「【００１７】集計センタ８は、送られてきたサンプル世帯数（この実施の形態の場合 15000世帯）全ての１日分の視聴率データＤ４を基に番組ごとの視聴率結果を算出し、この視聴率結果データＤ５を速やかに放送事業者（放送局）２に通知する。」
「【００１８】（２）受信装置の構成
図２に示すように、本発明による番組選択履歴情報取得装置を有する受信装置（ＩＲＤ）５は、まずプラグを介してＡＣコンセント（図示せず）に接続された電源回路１０よつて電源が供給されてＣＰＵ(Central Processing Unit) ２２が立ち上げられると、当該ＣＰＵ２２がユーザのリモコン２７による操作に応じた処理を実行するようになされている。」
「【００１９】このＣＰＵ２２は、ユーザのリモコン２７から出力されたチヤンネルナンバを表すリモコン信号Ｓ１をリモコン信号受光部２８によつて受光し、これをリモコン信号Ｓ２として入力する。ＣＰＵ２２は、入力したリモコン信号Ｓ２に応じたチヤンネル選択信号Ｓ３を生成し、これをフロントエンド部１１に供給する。」
「【００２０】フロントエンド部１１は、アンテナ６を介して受信した受信データストリームＤ３を入力し、通信衛星３のトランスポンダ（図示せず）から送信されている受信データストリームＤ３のうちチヤンネル選択信号Ｓ３に相当する番組の受信データストリームＤ３のみをデマルチプレクサ１２に送出する。」
「【００２１】デマルチプレクサ１２は、バツフアメモリ１３に受信データストリームＤ３を一旦格納した後、カードインターフエース（ＩＦ）２０を介して接続されたＩＣカード２１に記憶されている契約チヤンネルの暗号キー情報を読み出し、当該暗号キー情報と、選択したチヤンネルナンバの番組の暗号キー情報とが一致した場合に、バツフアメモリ１３に格納された受信データストリームＤ３を、ＣＰＵ２２の内部で発生するクロツク信号に基づいて複数のパケツトデータに分離する。」
「【００２２】そしてデマルチプレクサ１２は、チヤンネル選択信号Ｓ３に応じたチヤンネルナンバの番組のパケツトデータだけを取り出し、そのうちの映像データ部分からなるパケツトデータＤ１０をＭＰＥＧ２ビデオデコーダ１４に供給すると共に、音声データ部分からなるパケツトデータＤ１１をＭＰＥＧオーデイオデコーダ１５に供給する。」
「【００２３】因みに、ＩＣカード２１には暗号キー情報以外にもユーザが試聴した番組の試聴時間に応じた課金情報が蓄積されており、集計センタ８からの転送要求に応じて当該課金情報がＣＰＵ２２によつて読み出され、モデム２６及び公衆電話回線網７を介して集計センタ８へ送信されるようになされている。」
「【００２４】ＭＰＥＧ２ビデオデコーダ１４は、映像データ部分からなる複数のパケツトデータＤ１０を一旦メモリ１６に格納した後、ＣＰＵ２２の内部で発生するクロツク信号に基づいてＭＰＥＧ２方式によつて復号することにより、圧縮符号化前の映像データＤ１２に変換し、これをＮＴＳＣ(National Television System Commitee) 変換部１８に送出する。」
「【００２５】ＮＴＳＣ変換部１８は、映像データＤ１２を輝度（Ｙ）信号、色（Ｃ）信号及びコンポジツト信号からなるビデオ信号に変換してモニタ（図示せず）に出力することにより、当該モニタの画面に選択したチヤンネルナンバの番組を表示する。」
「【００２６】ＭＰＥＧオーデイオデコーダ１５は、音声データ部分からなる複数のパケツトデータＤ１１を一旦メモリ１７に格納した後、ＭＰＥＧ２ビデオデコーダ１４と同様にＣＰＵ２２の内部で発生するクロツク信号に基づいてＭＰＥＧ方式によつて復号することにより、圧縮符号化前の音声データＤ１３に変換し、これをデイジタル／アナログ変換部１９に送出する。」
「【００２７】デイジタル／アナログ変換部１９は、音声データＤ１３に対してデイジタル／アナログ変換処理を施すことにより、アナログのＬ（左）音声信号とＲ（右）音声信号を生成し、これをスピーカ（図示せず）を介してステレオ音声として出力する。」
「【００２８】またＣＰＵ２２は、ＲＡＭ(Ramdom Access Memory)２３、フラツシユメモリ２４及びＥＥＰＲＯＭ(Electrically Erasable Programmable Read Only Memory)２５に接続されており、ＲＡＭ２３をワークエリアとして用いることにより各種処理を実行すると共に、ＲＡＭ２３の一部の領域を使用してユーザが試聴した一日分の視聴率データＤ４を格納し得るようになされている。ここで、ＲＡＭ２３に視聴率データＤ４を格納する領域は、余裕を持たせて２日分以上の視聴率データＤ４を格納し得るだけの容量を有している。」
「【００２９】フラツシユメモリ２４は、後述する初期設定画面や識別番号入力画面を表示したり、メニユ画面に基づいてユーザが選択入力したコマンドに応じた処理をＣＰＵ２２によつて行うためのプログラム情報が書き込まれた不揮発性メモリでなり、通信衛星３から新たなプログラム情報を受信した場合にはプログラム内容を書換えられるようになされている。」
「【００３０】ＥＥＰＲＯＭ２５も不揮発性メモリでなり、ＩＲＤ５の電源をオフ状態にした場合の最終的なチヤンネルナンバ情報やそのときの音量（ボリユーム）状態を記憶しておくようになされており、ＣＰＵ２２は電源が再度オン状態になつたときに、ＥＥＰＲＯＭ２５に記憶されたデータ内容を読み出すことにより、電源がオフ状態になつたときと同じチヤンネルナンバ及び音量状態に再設定し得るようになされている。」
「【００３１】ここでＩＲＤ５においては、購入された後に初めてプラグがＡＣコンセントに差し込まれると電源回路１０が立ち上げられ、当該電源回路１０によつて電源が供給されると、ＣＰＵ２２はまずフラツシユメモリ２４に格納されたプログラム情報を読み出すことにより、モニタの画面に図３に示すような初期設定画面５１を表示する。ユーザは、視聴率申込みを行う意思がある場合には、集計センタ８から予め指定されている５桁のパスワードを初期設定画面５１のパスワード入力欄５２に入力する。」
『【００３２】この場合ＣＰＵ２２は、パスワード入力欄５２に集計センタ８から指定された５桁のパスワードが入力されたことを認識すると、次にモニタの画面に図４に示すような認識番号入力画面５３を表示する。ユーザは、認識番号入力画面５３の電話番号入力欄５４に公衆電話回線網７に接続された自宅の電話番号を市街局番から入力し、最終的に視聴率申込みを確認する「はい」のアイコン５５または「いいえ」のアイコン５６のどちらかを選択する。』
「【００３３】ＣＰＵ２２は、ユーザによつて「いいえ」のアイコン５６が選択された場合には視聴率申込みの意思がないものとして処理を中止するが、「はい」のアイコン５５が選択された場合には入力された電話番号を視聴率申込みのユーザ識別番号とし、これをモデム２６及び公衆電話回線網７を介して集計センタ８に送信する。集計センタ８では送られてきたユーザ識別番号を登録することにより、ＩＲＤ５においてユーザが試聴した一日分の視聴率データＤ４を記憶して集計センタ８に自動的に送信する設定の登録が完了する。」
「【００３４】これにより集計センタ８は、ＩＲＤ５からユーザ識別番号と一緒に送信されてきた視聴率データＤ４と、視聴率申込み時に登録したユーザ識別番号とが一致した場合に、その視聴率データＤ４を受け取り、一致しなかつた場合にはその視聴率データＤ４を受け付けないようになされている。」
「【００３５】この場合ＩＲＤ５は、リモコン２７によつて送信されてきたリモコン信号Ｓ１をリモコン信号受光部２８を介して受光し、ＣＰＵ２２がリモコン信号受光部２８を介して送られてくるリモコン信号Ｓ２に基づいてフロントエンド部１１及びデマルチプレクサ１２の処理を制御していることにより、ユーザが試聴している番組のチヤンネルナンバ情報及び選択された時刻を表す時刻情報を常時認識している。」
「【００３６】従つてＣＰＵ２２は、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報を視聴率データＤ４としてＲＡＭ２３の一部の領域に格納する。」
「【００３７】従つて、チヤンネルナンバが一度も変更されなければ電源のオンオフ時の時刻情報と１種類のチヤンネルナンバ情報だけが視聴率データＤ４として格納される。すなわちＣＰＵ２２は、電源のオンオフ時以外はチヤンネルナンバが変更された変化点を表す選択タイミングにおけるチヤンネルナンバ情報及びその時の時刻情報のみを試聴率データとしてＲＡＭ２３に格納することにより、記憶するデータ量を低減させるようになされている。」
「【００３８】さらにＣＰＵ２２は、リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録することにより、当該録画開始時刻になるとビデオインターフエース３０を介して接続されたＶＴＲ(Video Tape Recoder)２９を制御してＮＴＳＣ変換部１８及びデイジタルアナログ変換部１９から供給されるビデオ信号及び音声信号を記録するようになされている。」
「【００３９】この場合ＣＰＵ２２は、タイマー録画されているチヤンネルナンバ情報の他に録画開始及び終了時刻情報を付加情報として付加した視聴率データＤ４としてＲＡＭ２３に格納して集計センタ８に送信することにより、当該集計センタ８ではこの視聴率データＤ４が単に１回だけ試聴されただけデータか、あるいはビデオテープに録画されたことにより何回か反復して試聴される可能性があるデータかを判別し得る高精度な視聴率データＤ４として集計することができる。」
「【００４０】ここで視聴率データＤ４は、図５に示すようにヘツダ部分６１とデータ部分６２とに分かれ、ヘツダ部分６１はユーザの電話番号を４０ビツトで表す識別番号情報領域６３と、記憶された視聴率データＤ４の年月日を１６ビツトで表す日時情報領域６４と、記憶された視聴率データＤ４のサンプル数（すなわち電源供給のオンオフ時及び番組を変更する度に得られる視聴率データＤ４の個数）を１６ビツトで表すサンプル情報領域６５によつて構成されている。またデータ部分６２は、電源の供給をオン及び又はオフしたときのチヤンネルナンバ情報とその時の時刻情報、及びユーザが所望の番組を試聴するために変更したチヤンネルナンバ情報とその時の時刻情報とを４０ビツトで表している。」
「【００４１】ＣＰＵ２２は、このようなデータ構造の選択情報を一日分（例えば前日のPM23:00:00〜当日のPM22:59:59）蓄積してＲＡＭ２３に格納した後、当日のPM23:00:00〜翌朝のAM07:00:00の間に、一日分の複数の選択情報からなる選択履歴情報としての視聴率データＤ４をモデム２６及び公衆電話回線網７を介してフリーダイアルで自動的に送信するようになされている。この場合ＣＰＵ２２は、視聴率データＤ４を回線の空いているPM23:00:00〜翌朝のAM07:00:00の間に送信するようにしたことにより、回線の混雑を回避することができる。」
「【００４２】ここでＣＰＵ２２は、内部に乱数発生部２２Ａを有しており、当該乱数発生部２２Ａによつて 15000世帯分のＩＲＤ５Ａ〜５Ｚ全てに固有の乱数を発生し、当該乱数に応じた１分間の送信時間帯を各ユーザの電話番号（識別番号）に割り当てることにより、視聴率データＤ４をPM23:00:00〜AM07:00:00の間に送信する際に 15000世帯数分の呼が重なることなく効率良く送信し得るようになされている。」
「【００４３】この場合、 15000世帯分のＩＲＤ５Ａ〜５Ｚは個別に割り当てられた１分間の送信時間帯で視聴率データＤ４を送信することにより、集計センタ８では所有する５０回線によつて５時間で 15000世帯分の視聴率データＤ４を全て収集することができる。これにより集計センタ８は、課金情報の収集のようにデータの転送要求を個別に送信することなく、 15000世帯数分の視聴率データＤ４を確実かつ容易に集計することができ、当該 15000世帯数分の視聴率データＤ４を基に一日分の視聴率結果データＤ５を算出し、これを放送事業者２に速やかに通知することができる。」
「【００４５】すなわちＩＲＤ５は、ユーザ間で本体の譲渡があつた場合には必ずプラグがＡＣコンセントから外されるので、この場合にＣＰＵ２２は電源が供給されなくなつたことを検出し、その後プラグがＡＣコンセントに差し込まれて電源回路１０によつて電源が供給されるようになると、初期設定画面５１を再度モニタに表示する。」
「【００４６】これにより、ＩＲＤ５本体を譲渡されたユーザは初期設定画面５１を見て視聴率申込みのパスワードを入力するか否かを判断する。このとき譲渡された側のユーザは視聴率申込みを行う意思がある場合に、集計センタ８から指定された５桁のパスワードを入力し、次に表示される識別番号表示画面５３（図４）の識別番号入力欄５４に自身の電話番号を入力する。このときＩＲＤ５は、譲渡されたユーザの視聴率申込みがあつたことを初めて認識し、視聴率データＤ４を記憶して自動的に送信する設定登録を改めて行うようになされている。」
「【００４７】これにより集計センタ８では、譲渡されたユーザの識別番号が付加された視聴率データＤ４がＩＲＤ５から送信されてくると、登録された識別番号と視聴率データＤ４に付与された識別番号とを比較し、識別番号が一致したときにその視聴率データＤ４を受け取り、識別番号が一致しなかつたときには、その視聴率データＤ４を受け取らないことにより、視聴率申込みを行つたユーザの視聴率データＤ４のみを集計するようになされている。」
「【００４８】（３）実施の形態の動作及び効果
以上の構成において、ＩＲＤ５は一旦ユーザによる視聴率申込みを受け付け、視聴率データＤ４を記憶して自動的に送信し得る状態に設定した後、電源回路１０によつて電源が供給されなくなり、再度電源が供給されるようになつたことを検出した場合には、再度ユーザによる視聴率申込み登録がなされるまでは視聴率データＤ４を記憶して自動的に送信し得る設定の登録を行わないようにしたことにより、ユーザの意思に反して勝手に視聴率データＤ４を記憶して送信することを防止できる。」
「【００４９】これによりＩＲＤ５は、常にユーザによる視聴率申込みを受け付けた場合に限つて視聴率データＤ４の集計許可があつたものと認識し、この視聴率申込みを受け付けたときから視聴率データＤ４を記憶及び送信するようにしたことにより、ユーザの意思に基づいて視聴率データＤ４を記憶して送信することができる。」
「【００５６】
【発明の効果】上述のように本発明によれば、電源の投入開始が検出され、選択履歴情報を記憶して送信する設定が行われた場合に限つて、選択履歴情報を記憶して送信することにより、ユーザの意思に反して選択履歴情報を記憶して送信することがなくプライバシーを保護することができ、かくしてユーザの意思に基づいて選択履歴情報を記憶して送信し得る番組選択履歴情報取得装置及びその方法を実現できる。」
「【図１】
」
　
　ここで、上記記載を検討する。
　
　第一に、上記段落【００２０】の記載からみて、引用例１記載の発明は「アンテナ６を介して受信した受信データストリームＤ３を入力するフロントエンド部１１」を有している。
　第二に、上記段落【００３８】の「さらにＣＰＵ２２は、リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録することにより」との記載からみて、引用例１記載の発明は「ＣＰＵ２２」を有し、この「ＣＰＵ２２」は「リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録」するものである。
　第三に、上記段落【００１７】【００３２】【００３３】【００３５】【００３７】【００４６】の記載、上記段落【００３６】の「従つてＣＰＵ２２は、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報を視聴率データＤ４としてＲＡＭ２３の一部の領域に格納する。」との記載、上記段落【００３９】の「この場合ＣＰＵ２２は、タイマー録画されているチヤンネルナンバ情報の他に録画開始及び終了時刻情報を付加情報として付加した視聴率データＤ４としてＲＡＭ２３に格納して集計センタ８に送信することにより、当該集計センタ８ではこの視聴率データＤ４が単に１回だけ試聴されただけデータか、あるいはビデオテープに録画されたことにより何回か反復して試聴される可能性があるデータかを判別し得る高精度な視聴率データＤ４として集計することができる。」との記載、上記段落【００４１】の「ＣＰＵ２２は、このようなデータ構造の選択情報を一日分（例えば前日のPM23:00:00〜当日のPM22:59:59）蓄積してＲＡＭ２３に格納した後、当日のPM23:00:00〜翌朝のAM07:00:00の間に、一日分の複数の選択情報からなる選択履歴情報としての視聴率データＤ４をモデム２６及び公衆電話回線網７を介してフリーダイアルで自動的に送信するようになされている。」との記載、上記段落【００４３】の「これにより集計センタ８は、課金情報の収集のようにデータの転送要求を個別に送信することなく、 15000世帯数分の視聴率データＤ４を確実かつ容易に集計することができ、当該 15000世帯数分の視聴率データＤ４を基に一日分の視聴率結果データＤ５を算出し、これを放送事業者２に速やかに通知することができる。」との記載、上記段落【００４８】の「ユーザによる視聴率申込み登録がなされるまでは視聴率データＤ４を記憶して自動的に送信し得る設定の登録を行わないようにしたことにより、ユーザの意思に反して勝手に視聴率データＤ４を記憶して送信することを防止できる」、上記段落【００４９】の「これによりＩＲＤ５は、常にユーザによる視聴率申込みを受け付けた場合に限つて視聴率データＤ４の集計許可があつたものと認識し、この視聴率申込みを受け付けたときから視聴率データＤ４を記憶及び送信するようにしたことにより、ユーザの意思に基づいて視聴率データＤ４を記憶して送信することができる。」、上記段落【００５６】の「選択履歴情報を記憶して送信する設定が行われた場合に限つて、選択履歴情報を記憶して送信することにより、ユーザの意思に反して選択履歴情報を記憶して送信することがなくプライバシーを保護することができ」との記載、および、上記【図１】の記載からみて、引用例１記載の発明の「ＣＰＵ２２」は『リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録し、「はい」のアイコン５５が選択された場合には入力された電話番号を視聴率申込みのユーザ識別番号とし、これをモデム２６��び公衆電話回線網７を介して集計センタ８に送信し、集計センタ８では送られてきたユーザ識別番号を登録することにより、ＩＲＤ５においてユーザが試聴した一日分の視聴率データＤ４を記憶して集計センタ８に自動的に送信する設定の登録を完了させ、一日分の視聴率データＤ４を記憶して送信する設定が行われた場合に限つて、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報、タイマー録画されているチヤンネルナンバ情報の他に録画開始及び終了時刻情報を視聴率データＤ４としてＲＡＭ２３に格納し、一日分の複数の選択情報からなる選択履歴情報としての視聴率データＤ４を集計センタ８に自動的に送信し、集計センタ８は視聴率データＤ４を基に一日分の視聴率結果データＤ５を算出することによって、単に１回だけ試聴されるか、あるいはビデオテープに録画されたことにより何回か反復して試聴されるかを判別し得る高精度な視聴率データを得ると共に、ユーザの意思に反して視聴率データＤ４を記憶して送信することがなくプライバシーを保護する』機能を有している。
　第四に、上記段落【０００７】【００１８】の記載からみて、引用例１記載の発明は「デイジタル化されたテレビジヨン信号を受信する受信装置（ＩＲＤ）５」である。
　
　したがって、引用例１には以下の発明(以下「引用発明１」という。)が記載されている。
　
『アンテナ６を介して受信した受信データストリームＤ３を入力するフロントエンド部１１、ＣＰＵ２２を有し、
ＣＰＵ２２は、
リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録し、「はい」のアイコン５５が選択された場合には入力された電話番号を視聴率申込みのユーザ識別番号とし、これをモデム２６及び公衆電話回線網７を介して集計センタ８に送信し、集計センタ８では送られてきたユーザ識別番号を登録することにより、ＩＲＤ５においてユーザが試聴した一日分の視聴率データＤ４を記憶して集計センタ８に自動的に送信する設定の登録を完了させ、一日分の視聴率データＤ４を記憶して送信する設定が行われた場合に限つて、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報、タイマー録画されているチヤンネルナンバ情報の他に録画開始及び終了時刻情報を視聴率データＤ４としてＲＡＭ２３に格納し、一日分の複数の選択情報からなる選択履歴情報としての視聴率データＤ４を集計センタ８に自動的に送信し、集計センタ８は視聴率データＤ４を基に一日分の視聴率結果データＤ５を算出することによって、単に１回だけ試聴されるか、あるいはビデオテープに録画されたことにより何回か反復して試聴されるかを判別し得る高精度な視聴率データを得ると共に、ユーザの意思に反して視聴率データＤ４を記憶して送信することがなくプライバシーを保護する、
デイジタル化されたテレビジヨン信号を受信する受信装置（ＩＲＤ）５。』
　
３．２．引用例２
　次に、当審における、平成２４年９月１４日付で通知した拒絶の理由で引用した、本願の出願の日前に頒布された特開２００４−１２９２４５号公報(以下「引用例２」という。)には、図面と共に、以下の記載がある。 
　
「【０００２】
　従来、ＤＴＶ装置においては、従来からのアナログ放送に加えて、ＢＳ及びＣＳの衛星によるデジタル放送、有線によるデジタル放送、インターネット等によるネットワーク放送、そして地上波デジタル放送と多チャンネル化が進み、ユーザが視聴目的や好みにあった番組を探し出し、見たい番組を選択するためには、放送と共に送られる番組サービス情報から構成される電子プログラムガイド（以下ＥＰＧと略す）だけでは困難となりつつある。この為、ＤＴＶ装置における視聴支援機能や操作支援機能を拡張する目的で、ユーザの操作を補助するエージェント機能を搭載し、ユーザ個別の趣味、嗜好より、ユーザの目的や好みにあった番組を推薦する仕組みなどがＤＴＶ装置に搭載されつつある。また、ＤＴＶ装置本体に搭載されたエージェント機能については、製品コストや処理能力の問題から、使用できるリソースにも限界があり、その能力自体に限界がある為、ＤＴＶ装置の外部とのネットワークを介して、より能力の高い、また、豊富な番組関連付加情報を収容したホストに接続する事で、情報量の多い、検索能力の高い、また、より的確なエージェント機能を利用したＥＰＧサービスも存在している。」
「【０００７】
　さらに、放送事業者にとっても、予め番組個別の視聴率については予測可能ではあるものの、実際の視聴率は、他局の番組との兼ね合いや、当日の天気、時局なども様々な要因が絡む為に、予想外の結果となる事があり、予め想定した視聴率を充てにしたコマーシャルの効果やスポンサーに対する説明、さらには、番組に関連した様々な効果も、予想と大きく外れる事で何らかの損害を被る事があった。」
「【０００８】
　また、昨今のネットワークを介した放送を行っているネットワーク放送事業者は、番組の視聴者数によって、放送局側のサーバの負荷が大幅に変動するため、視聴者数を予測し、その番組の送出能力を上げておく必要がある。」
「【０００９】
　本発明の目的は、番組の放送前あるいは放送の最中に、予想した視聴率や視聴者層を利用した各種サービスを用意する事が出来る受信装置及び方法並びに視聴率予測方法を提供することを目的とする。」
「【００２８】
　図１は、本発明による受信装置としてのＤＴＶ装置の特徴を最も良く表わす図である。ここで、１０１及び１０８はＤＴＶ装置が設置してある個々の家庭を示し、その中で１０２及び１０９はＤＴＶ装置、１０３及び１１０はリモコン装置、１０４及び１１１は地上波放送を受信する為の通信手段としてのアンテナ装置、１０５及び１１２は衛星放送を受信する為のアンテナ装置、１０６及び１１３は有線放送を受信する為の通信手段としてのケーブル装置を示している。また、１１４は契約者に対して、高機能なＥＰＧサービスを提供するプロバイダであり、１０７及び１１０のネットワーク手段により個別の家庭と接続されている。ここで１１５はサービスを行う為の情報蓄積、演算処理、ＥＰＧアプリケーションサービスを行う為のホストコンピュータ、１１６は各種情報を受信する為のアンテナ装置をしめす。さらに１１７は、１１４のサービスを屋外でうける事の出来る携帯端末装置であり、１１８の各種無線通信手段により結ばれている。また、１１９は放送の送信及び各種通信を行う為の衛星であり、１０５、１１２及び１１６により受信及び通信を行っている。１５１は、電波、ケーブル装置以外のインターネット等において番組を放送するための番組サーバ送出システムであり、ネットワーク手段１０７、１１０を経由して、１０１、１０８に示す各家庭と接続されている。また、プロバイダ１１４とも接続されており、情報の入手が可能である。」
「【００３０】
　図３は本発明によるＤＴＶ装置の内部構成を示すブロック図であり、ここで３０１はデジタル放送電波を受信する為のアンテナ装置、３０２はアンテナから受信された電波を選局、同調する為のチューナ装置、３０３は選局された電波を復調し信号に変換する為の復調回路装置、３０４は復調された信号からＴＳ信号を分離する為のＴＳデコーダ回路、３０５は分離されたＴＳ信号より映像デコードを行なう映像デコーダ回路、３０６は同じくＴＳ信号より音声でコードを行う音声デコーダ回路、３０７は同じくＴＳ信号よりデータ放送のデコードを行うデータ放送デコーダ回路、３０８はＤＴＶ装置本体の各種制御装置からの情報を表示する為のＯＳＤ回路、３０９はＤＴＶ装置に搭載されている各種アプリケーション、３１０はＤＴＶ装置内部で作成された各種映像情報を合成して出力する画像合成部、３１１はＤＴＶ装置の表示画面となるモニタ装置、３１２はＤＴＶ装置の各種制御の為のプログラム及び搭載されたアプリケーションのプログラム及び各種データを格納する為のＲＯＭ装置、３１３はＤＴＶ装置の各種制御の為のプログラム及び搭載されたアプリケーションのプログラム及び各種データを格納し、さらに、前記アプリケーションを動作させる為のワークとなるＲＡＭ装置、３１４はＤＴＶ装置の各種制御及びプリケーションを実行する為のＣＰＵ装置、３１５はＤＴＶ装置と外部機器との通信、サーバ装置から番組を受信を行うためのモデム装置、３１６はＤＴＶ装置の限定受信動作を行う際の認証動作、あるいは外部機器との各種情報のやり取りを行う為のＩＣカード装置、３１７はＤＴＶ装置の各回路ブロック間の情報伝達を行う為のバス装置、３１８はＤＴＶ装置に接続された外部機器との画像データを含む高速なデータのやり取りを行う為のインターフェース回路、３１９はＤＴＶ装置に各種コマンドを伝える為のリモコン装置である。」
「【００３２】
　本発明によるＤＴＶ装置においては、ユーザが予め、自身のプロファイル情報及び番組予約情報を提供し、且つ、予想視聴率情報の提供サービスを受ける事を目的としたプロバイダと、契約を結んでいるものとする。」
「【００３３】
　図４は、本発明によるＤＴＶ装置に搭載されているＥＰＧアプリケーションを示す図であり、ここで４０１はＤＴＶ装置の表示画面、４０２は放送事業者のチャンネルＩＤを示す行、４０３及び４０４は、各チャンネルＩＤで示されるチャンネルで放送予定の番組名称、放送時間、番組情報を表している。また、４０５はユーザが現在選択中の番組を示すフォーカス枠であり、リモコン装置のカーソル移動キーを用いて番組間を移動する事が可能である。尚、本図においては説明を簡単にする為に全ての番組がチャンネル間によらず同じ時間枠で放送されるが如く記述してあるが、実際には、この限りではない事は言うまでもない。」
『【００３４】
　図５は、図４の番組選択状態において、選択箇所に関する操作を行う為のコンテキストメニューを開いた際の例を示した図であり、５０６に示すダイアログボックスによりコンテキストメニューが表示されている。いま、本実施例によるＥＰＧアプリケーションにおいては、番組を選択した後、コンテキストメニューを開く事で、「番組詳細情報を見る」「この番組を視聴予約する」「この番組を録画予約する」の三つの操作か可能となっている。』
『【００３５】
　本発明によるＤＴＶ装置においては、この状態で、「この番組を視聴予約する」「この番組を録画予約する」の何れかが選択されたとする。すると、ＤＴＶ装置は選択された予約動作を実行すると共に、ＤＴＶ装置に格納されているユーザプロファイル情報、ＤＴＶ装置ＩＤ、チャンネルＩＤ及びイベントＩＤ等の予約情報を、契約相手であるサービスプロバイダに対して送信を行う。かくして、当該サービスプロバイダには、契約者であるユーザから大量の番組予約情報が提供されている。』
「【００３６】
　図６は、サービスプロバイダのホストコンピュータにおいて、契約者であるユーザから送られてきた番組予約情報より、視聴率を予測する手順を説明した流れ図である。今、前述のホストコンピュータに対して、収集された番組予約情報を基にした特定の番組の予想視聴率を計算する命令が実行されると、図６のステップ６０１へと制御が移され、視聴率予想ルーチンが起動する事になる。ステップ６０２では、指定された番組に関する情報を選択し、ステップ６０３で当該番組に関する集計された番組予約率のデータを取得している。ステップ６０４では、指定された番組の放送日時情報、及び、現在の日時情報を取得し、ステップ６０５では、図７に示す対応表に対する割り当てを実施する。図７は、放送当日から数えて何日前の時点で集計された番組予約率から放送当日の予想予約率を算出し、これと対応させる事で予想視聴率を導く為の換算表である。本実施例においては、説明の為に図７に示す様な表を提示したが、実際には計算式を用いて導く物であり、また、表に示す曲線も実際の番組予約情報に対する実際の視聴率の関係を基に、統計的に求めたものである事は言うまでもない。今、ステップ６０５では、例えば実際の放送日の１４日前に７１１に示す番組の予約率が集計されていたとすると、ステップ６０６において、第７図の７０７に示す予想曲線が選択され、ステップ６０７において、予想曲線７０７と放送当日の予想予約率７０５の示す交点が求められ、ステップ６０８において、前記交点に対応する予想視聴率の値が読み取られ、ステップ６０９において視聴率予想ルーチンを終了する。また、本ルーチンにおいて、７１２に示す放送当日の７日前に相当するデータ７１２が取得された場合は、ステップ６０６において予想曲線７０９が選択され、結果としてまた異なる予想視聴率が算出される。この様に、本アルゴリズムによる予想視聴率の算出は番組の放送当日に近くなるにつれてより正確な予想視聴率を算出可能となっている。この様に、サービスプロバイダのホストコンピュータにおいては、適宜、放送予定の全ての番組について予想視聴率の算出を行っており、必要な情報については、契約者に随時提供可能となっている。」
「【００３７】
　図８は、本発明によるＤＴＶ装置に搭載されているエージェント機能の機能ブロックを示した図である。ここで、８０１〜８０３は、８１０のエージェント処理機能が通常外部より入手する事の出来る情報群であり、８０１は８０４に蓄えられる番組サービス情報を含む放送波、８０２は、ユーザがＤＴＶ装置に対して行う操作の情報であり、これにより、８０５に蓄えられるユーザの嗜好情報の各種入力や、８０３の時間情報を利用して、８０６に蓄えられるユーザの操作手順により実際に視聴を行った番組視聴履歴情報の作成が行われる。また、８１１は先のサービスプロバイダからネットワーク手段を用いて入手可能な予想視聴率情報である。８０７は蓄積された情報群８０４〜８０６の情報を基に、８１０のエージェント処理機能が検索抽出したＥＰＧ表示情報であり、さらに８０８は８０７のＥＰＧ表示よりさらにユーザのお好み番組として抽出された、お好み番組提示リスト、８０９は、８１１の予想視聴率情報を基に選択した予想視聴率高位番組である。」
「【００３８】
　尚、図８の説明で登場するユーザは、先に番組予約を行ったユーザとは別のユーザであっても良く、また同じユーザが別の番組を、ＥＰＧを用いて選択中であっても構わない。」
「【００３９】
　この様に、エージェント機能は通常、ユーザの嗜好情報、視聴履歴や操作履歴を基にユーザに対してお好み番組の提示を、ＥＰＧを通して行っているが、本発明によるＤＴＶ装置においては、必要に応じて当該予想視聴率情報を利用した予想視聴率高位番組の提示も行う事が可能である。」
「【００４０】
　図９は、本発明によるＤＴＶ装置において、前述の予想視聴率高位番組として、同一時間枠における第１位から第３位までの番組を、印をつけて提示したものである。」
「【００４１】
　この様にＤＴＶ装置のＥＰＧ表示において、予想視聴率高位番組を識別し掲示する事で、ユーザはエージェント機能の選択したお薦め番組の情報に加えて、他の視聴者達が多く視聴を予定しているであろう人気のある番組を知る事が出来る。」
「【００４２】
　さらに、エージェント機能によるお薦め番組を抽出する際に、予想視聴率情報を加味する事で、ユーザの嗜好情報や習慣的な視聴によるお薦め番組だけでは無く、世の中のトレンドを加味したお薦め番組の提供も可能となる。」
「【００４３】
　また、予想視聴率の提供を受ける際、サービスプロバイダの集計方法によっては、性別、年齢別、職業別など、予約情報の提供者である契約者のプロファイル情報を基に分類可能な、夫々のグループ別の、人気番組情報の提供を受ける事も可能である。」
「【００４４】
　尚、本実施例においては、ユーザはＤＴＶ装置本体に付帯するＥＰＧ機能を利用して番組の予約を実行したが、第１図の１１７に示す様な、携帯端末を用いて、１１４のＥＰＧサービスプロバイダにアクセスし、外出先から前記サービスプロバイダが提供するＥＰＧに対して番組予約を行っても良く、この場合は、サービスプロバイダがネットワーク手段を介して、個別家庭のＤＴＶ装置に対して、番組予約を実行する事も可能である。もちろん、この場合、番組予約をリモート操作されたＤＴＶ装置は、当該番組予約の情報に関してはサービスプロバイダに送信する必要は省かれるものである。」　
「【図１】
」
「【図３】
」
　
　ここで、上記記載を検討する。
　
　第一に、上記段落【００３０】の記載からみて、引用例２記載の発明は「ＤＴＶ装置」であって、この「ＤＴＶ装置」は「アンテナから受信された電波を選局、同調する為のチューナ装置３０２」「選局された電波を復調し信号に変換する為の復調回路装置３０３」「復調された信号からＴＳ信号を分離する為のＴＳデコーダ回路３０４」「ＴＳ信号よりデータ放送のデコードを行うデータ放送デコーダ回路３０７」「ＤＴＶ装置の各種制御及びプリケーションを実行する為のＣＰＵ装置３１４」「ＤＴＶ装置と外部機器との通信、サーバ装置から番組を受信を行うためのモデム装置３１５」を有している。
　第二に、上記段落【０００２】の「放送と共に送られる番組サービス情報から構成される電子プログラムガイド（以下ＥＰＧと略す）」との記載、上記段落【００３７】の「８０１は８０４に蓄えられる番組サービス情報を含む放送波」との記載、及び、上記段落【００３３】【００３４】の記載からみて、引用例２記載の発明は「放送波から入手したＥＰＧから番組の予約を行う」ものであるということができ、また、上記段落【００３０】の「３１４はＤＴＶ装置の各種制御及びプリケーションを実行する為のＣＰＵ装置」との記載から、この「放送波から入手したＥＰＧから番組の予約を行う」ための処理は「ＣＰＵ装置３１４」が実行しているということができる。
　第三に、上記段落【００３５】の『本発明によるＤＴＶ装置においては、この状態で、「この番組を視聴予約する」「この番組を録画予約する」の何れかが選択されたとする。すると、ＤＴＶ装置は選択された予約動作を実行すると共に、ＤＴＶ装置に格納されているユーザプロファイル情報、ＤＴＶ装置ＩＤ、チャンネルＩＤ及びイベントＩＤ等の予約情報を、契約相手であるサービスプロバイダに対して送信を行う。』との記載からみて、引用例２記載の発明は「予約が行われた場合には、予約情報を、契約相手であるサービスプロバイダに対して送信を行う」ものであって、また、上記段落【００３０】の記載からみて、この、「予約が行われた場合には、予約情報を、契約相手であるサービスプロバイダに対して送信を行う」ための処理も「ＣＰＵ装置３１４」が実行しているということができる。
　第四に、上記段落【００３２】の「本発明によるＤＴＶ装置においては、ユーザが予め、自身のプロファイル情報及び番組予約情報を提供し、且つ、予想視聴率情報の提供サービスを受ける事を目的としたプロバイダと、契約を結んでいるものとする。」との記載からみて、引用例２記載の発明は「予め、自身のプロファイル情報及び番組予約情報を提供し、且つ、予想視聴率情報の提供サービスを受ける事を目的としたプロバイダと、契約を結んでいる」ことを前提としており、上記段落【００２８】の「１１４は契約者に対して、高機能なＥＰＧサービスを提供するプロバイダであり、１０７及び１１０のネットワーク手段により個別の家庭と接続されている。ここで１１５はサービスを行う為の情報蓄積、演算処理、ＥＰＧアプリケーションサービスを行う為のホストコンピュータ、１１６は各種情報を受信する為のアンテナ装置をしめす。・・・また、１１９は放送の送信及び各種通信を行う為の衛星であり、１０５、１１２及び１１６により受信及び通信を行っている。」との記載、及び、【図１】の記載からみて、この「プロバイダ１１４」と「衛星１１９」は別個のものであり、かつ、「プロバイダ１１４」も「アンテナ装置１１６」を介して「各種情報を受信する」ものであって、この「プロバイダ１１４」が「衛星１１９」を介して放送を行っていると認めることはできないから、この「予想視聴率情報の提供サービスを受ける事を目的としたプロバイダ」は「放送局とは異なる」ものといえる。
　第五に、上記段落【００２８】の「１１４は契約者に対して、高機能なＥＰＧサービスを提供するプロバイダであり、１０７及び１１０のネットワーク手段により個別の家庭と接続されている。ここで１１５はサービスを行う為の情報蓄積、演算処理、ＥＰＧアプリケーションサービスを行う為のホストコンピュータ」との記載、上記段落【００３６】の「前述のホストコンピュータに対して、収集された番組予約情報を基にした特定の番組の予想視聴率を計算する命令が実行されると、図６のステップ６０１へと制御が移され、視聴率予想ルーチンが起動する事になる。」との記載からみて、引用例２記載の発明の「プロバイダ」は「収集された予約情報を基にした特定の番組の予想視聴率を計算する」ものである。
　第五に、上記段落【０００９】の記載からみて、引用例２記載の発明は「番組の放送前あるいは放送の最中に視聴率を予測する」ことを目的とするものである。
　
　したがって、引用例２には以下の発明(以下「引用発明２」という。)が記載されている。
　
「番組の放送前あるいは放送の最中に視聴率を予測することを目的とし、予め、自身のプロファイル情報及び番組予約情報を提供し、且つ、予想視聴率情報の提供サービスを受ける事を目的とした放送局とは異なるプロバイダと、契約を結んでいることを前提とするＤＴＶ装置であって、アンテナから受信された電波を選局、同調する為のチューナ装置３０２、選局された電波を復調し信号に変換する為の復調回路装置３０３、復調された信号からＴＳ信号を分離する為のＴＳデコーダ回路３０４、ＴＳ信号よりデータ放送のデコードを行うデータ放送デコーダ回路３０７、ＤＴＶ装置の各種制御及びプリケーションを実行する為のＣＰＵ装置３１４、ＤＴＶ装置と外部機器との通信、サーバ装置から番組を受信を行うためのモデム装置３１５を有し、ＣＰＵ装置３１４が、放送波から入手したＥＰＧから番組の予約を行う処理と、予約が行われた場合には、予約情報を、収集された予約情報を基にした特定の番組の予想視聴率を計算する、契約相手であるサービスプロバイダに対して送信を行う処理を実行するＤＴＶ装置。」
　
４．対比
　本願発明と引用発明１を比較する。
　
[放送番組を受信する受信手段・・・放送受信装置]
　引用発明１は「アンテナ６を介して受信した受信データストリームＤ３を入力するフロントエンド部１１」を有する「デイジタル化されたテレビジヨン信号を受信する受信装置（ＩＲＤ）５」であるから、引用発明１と本願発明は「放送番組を受信する受信手段」を備える「放送受信装置」という点で一致する。
　
[放送局の放送波から入手したＥＰＧから番組の予約をする予約手段]
　引用発明１の「ＣＰＵ２２」は「リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録」するものであるから、引用発明１と本願発明は「番組の予約をする予約手段」を有する点で一致するが、本願発明の「予約手段」は「放送局の放送波から入手したＥＰＧから」番組の予約をするものであるのに対し、引用発明１の「ＣＰＵ２２」が登録する「ビデオ予約情報」が放送局の放送波から入手したＥＰＧから入手したものであるか否かが明らかではない点で相違する。
　
[前記予約に関する番組予約情報を、前記放送局とは異なる番組予約を集計するセンターに登録処理を行っていた場合には送信し、該センターにアクセスして登録を抹消している場合には送信しない送信手段]
　上記したように、引用発明１の「ＣＰＵ２２」は『リモコン２７及びリモコン信号受光部２８から送信されてくるリモコン信号Ｓ２に応じてチヤンネルナンバ情報と録画開始及び終了時刻からなるビデオ予約情報をＲＡＭ２３に登録し、「はい」のアイコン５５が選択された場合には入力された電話番号を視聴率申込みのユーザ識別番号とし、これをモデム２６及び公衆電話回線網７を介して集計センタ８に送信し、集計センタ８では送られてきたユーザ識別番号を登録することにより、ＩＲＤ５においてユーザが試聴した一日分の視聴率データＤ４を記憶して集計センタ８に自動的に送信する設定の登録を完了させ、一日分の視聴率データＤ４を記憶して送信する設定が行われた場合に限つて、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報、タイマー録画されているチヤンネルナンバ情報の他に録画開始及び終了時刻情報を視聴率データＤ４としてＲＡＭ２３に格納し、一日分の複数の選択情報からなる選択履歴情報としての視聴率データＤ４を集計センタ８に自動的に送信し、集計センタ８は視聴率データＤ４を基に一日分の視聴率結果データＤ５を算出することによって、ユーザの意思に反して視聴率データＤ４を記憶して送信することがなくプライバシーを保護する』ものである。
　ここで、引用発明１の「集計センタ８」は「放送事業者（放送局）２とは異なる」ものであるのに対し、本願発明の「集計するセンター」も「放送局とは異なる」ものであることから、引用発明１の「集計センタ８」と本願発明の「集計するセンター」は、いずれも「放送局とは異なる」ものである点で一致している。
　次に、本願発明で「集計するセンター」に送られるのは「予約に関する番組予約情報」であり「集計するセンター」が集計するのは「番組予約」であるのに対し、引用発明１で「集計センタ８」に送られるのは「リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報、タイマー録画されているチヤンネルナンバ情報の他に録画開始及び終了時刻情報を視聴率データＤ４」としたときの「一日分の複数の選択情報からなる選択履歴情報としての視聴率データＤ４」であり「集計センタ８」が集計するのは「一日分の視聴率結果データＤ５」である点で相違する。
　更に、引用発明１の「ＣＰＵ２２」は『「はい」のアイコン５５が選択された場合には入力された電話番号を視聴率申込みのユーザ識別番号とし、これをモデム２６及び公衆電話回線網７を介して集計センタ８に送信し、集計センタ８では送られてきたユーザ識別番号を登録することにより、ＩＲＤ５においてユーザが試聴した一日分の視聴率データＤ４を記憶して集計センタ８に自動的に送信する設定の登録を完了させ、一日分の視聴率データＤ４を記憶して送信する設定が行われた場合に限つて』送信をおこなうものであるのに対し、本願発明の「送信手段」は「センターに登録処理を行っていた場合には送信し、該センターにアクセスして登録を抹消している場合には送信しない」ものであるから、引用発明１の「ＣＰＵ２２」と本願発明の「送信手段」は「センターに登録処理を行っていた場合には送信」する点で一致しているが、本願発明の「送信手段」は「番組予約情報」を「該センターにアクセスして登録を抹消している場合には送信しない」のに対し、引用発明１では「集計センタ８に自動的に送信する設定の登録」を抹消できるのか否か自体が明らかではない点でも相違している。
　
　したがって、本願発明と引用発明１は以下の点で一致し、また、相違する。
　
[一致点]
「放送番組を受信する受信手段と、
　番組の予約をする予約手段と、
　前記放送局とは異なる集計するセンターに登録処理を行っていた場合には送信する送信手段と、
を備える放送受信装置。」
　
[相違点]
(1)　本願発明の「予約手段」は「放送局の放送波から入手したＥＰＧから」番組の予約をするものであるのに対し、引用発明１の「ＣＰＵ２２」が登録する「ビデオ予約情報」が放送局の放送波から入手したＥＰＧから入手したものであるか否かが明らかではない点。
(2)　本願発明で「集計するセンター」に送られるのは「予約に関する番組予約情報」であり「集計するセンター」が集計するのは「番組予約」であるのに対し、引用発明１で「集計センタ８」に送られるのは「リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報、タイマー録画されているチヤンネルナンバ情報の他に録画開始及び終了時刻情報を視聴率データＤ４」としたときの「一日分の複数の選択情報からなる選択履歴情報としての視聴率データＤ４」であり「集計センタ８」が集計するのは「一日分の視聴率結果データＤ５」である点。
(3)　本願発明の「送信手段」は「番組予約情報」を「該センターにアクセスして登録を抹消している場合には送信しない」のに対し、引用発明１では「集計センタ８に自動的に送信する設定の登録」を抹消できるのか否か自体が明らかではない点。
　
５．相違点についての判断
　上記相違点について検討する。
　
[相違点(1)]
　引用発明２(引用例２の上記段落【００３３】〜【００４４】参照)にもみられるように、放送局の放送波から入手したＥＰＧを用いた番組予約は極めて良く用いられる周知慣用手段であって、引用発明１における「ビデオ予約情報」をそのような手法を用いて得られた予約情報とすることは、実際の予約手続を容易に行わせることを目的として、当業者が容易に想到し得たことにすぎない。
　
[相違点(2)]
　引用発明１で「集計センタ８」に送られる「視聴率データＤ４」には「タイマー録画されているチヤンネルナンバ情報の他に録画開始及び終了時刻情報」が含まれており、その結果「集計センタ８」が集計した「一日分の視聴率結果データＤ５」は「単に１回だけ試聴されるか、あるいはビデオテープに録画されたことにより何回か反復して試聴されるかを判別し得る高精度な視聴率データ」を得ることができるものである。また、引用発明１の「ＲＡＭ２３」には「集計センタ８」に送られる「視聴率データＤ４」が含む「タイマー録画されているチヤンネルナンバ情報の他に録画開始及び終了時刻情報」と同様の情報である「チヤンネルナンバ情報と録画開始及び終了時刻からなるビデオ予約情報」が、その番組の放送の前の時点で既に登録されている。すなわち、引用発明１では、引用発明２の「予約情報」に相当する「チヤンネルナンバ情報と録画開始及び終了時刻からなるビデオ予約情報」が、その番組の放送の前の時点で既に登録され、放送後ではあるものの「集計センタ８」に送られている。
　そして、引用例２の上記段落【０００７】【０００８】に記載されるように、視聴率をより正しく予測することは商業的に非常に重要なことであって、それを解決することを目的として、引用発明２は「予約が行われた場合には、予約情報を、収集された予約情報を基にした特定の番組の予想視聴率を計算する、契約相手であるサービスプロバイダに対して送信を行う処理を実行するＤＴＶ装置」との構成となっている。
　ここで、上記したように、視聴率をより正しく予測することは商業的に非常に重要なことであるところ、既に得られている情報からより大きな価値を持つ情報を取り出せるのであれば、それをも取り出そうとすることは極めて自然な流れであるから、引用発明１で集計される「視聴率結果データＤ５」に視聴率予測という付加価値を与えるために、この既に登録されている「チヤンネルナンバ情報と録画開始及び終了時刻からなるビデオ予約情報」を、引用発明２の「予約情報」として流用し予約の時点で「集計センタ８」に送るとともに、引用発明２の「サービスプロバイダ」の機能である「収集された予約情報を基にした特定の番組の予想視聴率を計算する」ことを引用発明１の「集計センタ８」に持たせたこと、すなわち、本願発明のように「集計するセンター」に「予約に関する番組予約情報」を送り「集計するセンター」で「番組予約」を集計させたことは、当業者が容易に想到し得たことにすぎない。
　
[相違点(3)]
　引用発明１の「ＣＰＵ２２」は「一日分の視聴率データＤ４を記憶して送信する設定が行われた場合に限つて」送信することによって「ユーザの意思に反して視聴率データＤ４を記憶して送信することがなくプライバシーを保護する」ものであるが、この「ユーザの意志」が、一旦「一日分の視聴率データＤ４を記憶して送信する」ことを認めるものであっても、その後、それを認めないものに変わることがあることは想定すべきものであり、しかも、「プライバシーを保護する」ことを目的とすることを考えれば、「一日分の視聴率データＤ４を記憶して送信する」ことを認めないものに変わったことを無視せず、「送信する設定」を抹消できるようにすることは、当業者が当然採用すべきことにすぎない。そして、引用発明１の「ＣＰＵ２２」は『「はい」のアイコン５５が選択された場合には入力された電話番号を視聴率申込みのユーザ識別番号とし、これをモデム２６及び公衆電話回線網７を介して集計センタ８に送信し、集計センタ８では送られてきたユーザ識別番号を登録する」ものであることから、「送信する設定」を抹消するときにも、同様に、引用発明１の「ＣＰＵ２２」が「集計センタ８」をアクセスして登録を抹消することは、操作性の統一を考えれば、当業者が容易に想到し得たことにすぎない。
　
　加えて、本願発明の奏する作用効果も当業者が予測できる範囲のものである。 
　
　したがって、本願発明は、引用発明１、及び、引用発明２に基づいて、当業者が容易に発明をすることができたものである。 
　
６．むすび 
　以上のとおり、本件出願の請求項１に係る発明は、引用例１，２に記載された発明に基づいて、当業者が容易に発明をすることができたものであるから、特許法第２９条第２項の規定により特許を受けることができない。 
 　 
　したがって、残る請求項２に係る発明について検討するまでもなく、本件出願は拒絶すべきものである。 
 　 
　よって、結論のとおり審決する。